(57)【要約】  本発明の飛行制御補助装置は、航空機の実際の飛行条件を決定する第１の手段(４)と、前記実際の飛行条件と所定のパターンを利用して、安定した進入条件が得られる方法での最適化された進入に従って、前記航空機が降下し減速するときの、航空機の実際の位置とタッチダウン点の平面上での投影図間の最小距離に相当する最小進入距離を決定する第２の手段(５)と、タッチダウン位置を示す航空機に対する位置を中心とする第１の円形の円弧の形で、運行スクリーン(９)上に、少なくとも前記最小進入距離を提示するための表示手段(７)を備える。【選択図】    図１
2008540228.tif 000002
【特許請求の範囲】
【請求項１】
着陸目的で進入段階にある航空機(Ａ)の操縦を補助するための方法であり、その方法によって以下の一連の工程が自動的かつ反復的に実施される。
ａ）  航空機(Ａ)の現在の飛行条件が決定され、
ｂ）  少なくとも前記現在の飛行条件を利用して、航空機(Ａ)の現在の位置と地上との接地位置との間の最小進入距離が決定され、
ｃ）  少なくともこの最小進入距離が、運行スクリーン(９)上で航空機の操縦士に示されるものであって、
−  ｂ）工程で、前記最小距離が、航空機(Ａ)の空気力学的ブレーキ性能を考慮した所定のモデルおよび前記飛行条件を利用して決定され、
−  ｂ）工程で、航空機(Ａ)が、安定した進入条件を得られるように、最適化された進入にしたがって降下し減速する際、航空機(Ａ)の現在の位置と地上との接地位置の平面上への投影図間の最小距離として、前記最小距離が決定され、前記最適化された進入が、可能な限り最小の距離が得られることを可能にするものであり、
−  ｂ）工程で、更に、第２の進入距離が決定され、その第２の進入距離が、航空機(Ａ)が、安定した進入条件を得られるように、標準進入に従って降下し減速するときに、航空機(Ａ)の現在の位置と、地上との接地位置との平面上への投影図間の距離に相当し、
−  ｃ）工程で、前記運行スクリーン(９)上で、航空機(Ａ)の操縦士に、一度に且つ同時に、
・  航空機に関する位置(１０)を中心とし、最適化された進入に関する地上との接地位置を示す第１の円形の円弧(Ｃ１)の形の、この最小進入距離と、
・  前記航空機に関する位置(１０)を中心とし、標準進入に関する地上との接地位置を示す第２の円形の円弧(Ｃ２)の形の、この第２の進入距離とが、示される、
ことを特徴とする方法。
【請求項２】
ｃ）工程で、着陸のために予定された着陸滑走路(２)の位置を表し、少なくともこの着陸滑走路(２)の終端(１２)を示す表象(１１)が、更に、前記運行スクリーン(９)上で表示され、前記第１の円形の円弧(Ｃ１)が、航空機(Ａ)の横軌道(１３)上に位置することを特徴とする、請求項１に記載の方法。
【請求項３】
前記第１の円形の円弧(Ｃ１)が、着陸滑走路(２)の終端(１２)を超えた位置にあるとき、航空機(Ａ)の操縦室内で、警報信号が発せられることを特徴とする、請求項１及び請求項２のいずれかに記載の方法。
【請求項４】
ａ)工程において、航空機(Ａ)の現在の飛行条件として、
−  航空機(Ａ)の地上に対する高度と、
−  航空機(Ａ)の速度と、
−  上記航空機(Ａ)の空気力学的形態とを決定することを特徴とする、上記の請求項１から請求項４のいずれか１項に記載の方法。
【請求項５】
前記の安定した進入条件が、航空機(Ａ)が、地上に対し所定の高度で安定している所定の進入速度と進入角度とを呈すことを仮定することを特徴とする、上記の請求項１から請求項４のいずれか１項に記載の方法。
【請求項６】
現在の飛行条件の関数として、最小進入距離を決定することを目的とした前記モデルが、ニューラル・ネットワークからなることを特徴とする、上記の請求項１から請求項５のいずれか１項に記載の方法
【請求項７】
前記ニューラル・ネットワークが、前記現在の飛行条件および前記安定した進入条件、そして少なくとも、
−  地上レベルでの大気圧と、
−  航空機(Ａ)の質量と、
−  長手方向の瞬間風というパラメーターの関数として、最小進入距離を決定することを特徴とする、請求項６に記載の方法。
【請求項８】
前記ニューラル・ネットワークが、航空機(Ａ)のタイプに依存することを特徴とする、請求項６及び請求項７のいずれかに記載の方法。
【請求項９】
前記ニューラル・ネットワークが、航空機(Ａ)の飛行に先立って、準備段階中に決定されることを特徴とする、請求項６から請求項８までのいずれか１項に記載の方法。
【請求項１０】
前記最小進入距離を、最適降下プロフィール(Ｐ0からＰ4)を、前記現在の飛行条件の関数として考慮することによって決定することを特徴とする、上記の請求項１から請求項９のいずれか１項に記載の方法。
【請求項１１】
着陸目的で進入段階にある航空機の操縦を補助するための装置であって、
−  航空機(Ａ)の現在の飛行条件を決定するための第１の手段(４)と、
−  少なくとも、前記現在の飛行条件を利用して、航空機(Ａ)の現在位置と地上との接地位置との間の最小進入距離を決定するための第２の手段(５)と、
−  運行スクリーン(９)上に、少なくともこの最小進入距離を提示するための表示手段(７)とからなり、
−  前記第２の手段５が
・  前記飛行条件と、航空機(Ａ)の空気力学的ブレーキ性能を考慮した所定のモデルとを利用して、前記最小距離を決定する手段であって、前記最小距離は、航空機(Ａ)が、安定した進入条件が得られるように、最適化された進入に従って降下し減速するときの、航空機(Ａ)の現在位置と地上との接地位置との、平面上での投影図間の最小距離に相当し、前記最適化された進入により可能な限り最小の距離が得られ、
・  航空機(Ａ)が、安定した進入条件が得られるように、標準進入に従って降下し減速するときに、航空機(Ａ)の現在位置と地上との接地位置との、平面上での投影図間の距離に相当する、第２の進入距離を決定する手段とからなり、
−  前記表示手段(７)が、前記運行スクリーン(９)上で、航空機(Ａ)の操縦士に、一度に且つ同時に、
・  航空機に関する位置(１０)を中心とし、最適化された進入に関する地上との接地位置を示す、第１の円形の円弧(Ｃ１)の形の、この最小進入距離と、
・  航空機に関する位置(１０)を中心とし、標準進入に関する地上との接地位置を示す、第２の円形の円弧(Ｃ２)の形の、この第２の進入距離とを
示すように形成されていることを特徴とする、航空機の着陸進入時の飛行制御補助のための装置。
【請求項１２】
前記第２の手段(５)が、ニューラル・ネットワークを備えることを特徴とする、請求項１１に記載の装置。
【請求項１３】
前記第１の円形の円弧(Ｃ１)が、着陸を予定している着陸滑走路(２)の終端(１２)を超えた位置にあるときに、更に、航空機(Ａ)の操縦室内で、警報信号を発することのできる警報手段(１８)を備えることを特徴とする、請求項１１及び請求項１２のいずれかに記載の装置。
【請求項１４】
請求項１から請求項１０までのいずれか１項に記載の方法を実施することのできる装置(１)を備えることを特徴とする航空機。
【請求項１５】
請求項１１から請求項１３までのいずれか１項に記載の装置(１)を備えることを特徴とする航空機。
【発明の詳細な説明】
【技術分野】
【０００１】
本発明は、空港の着陸滑走路へ着陸のため進入中に、航空機、特に輸送機の操縦を補助するための方法と装置に関するものである。
【背景技術】
【０００２】
かなりの割合の航空機事故が着陸のため進入中に起こるということがよく知られている。一般的に、事故の主な原因は、
−  予測しない気象条件、
−  操縦士の不適切な反応、
−  航空機の最適ではない空気力学的形態、そして、
−  航空機の不安定な進入(高度が高すぎたり、そして／または、あまりに急激に着陸したりする)に関するものである。
【０００３】
ほとんどの場合において、航空機の乗員に、自分たちの乗っている航空機の実際の状況は十分に安全な条件の下で着陸を実行できるものではないという認識があったら、施回することによってこれらの事故を回避することができたであろう。
【０００４】
一般的に、施回は、求められないがために実行されるのが遅すぎることがよくある、扱いにくい操作であるとうこともよく知られている。実際に、施回は、今でも操縦士には失敗であるとみなされていることがよくある。したがって、一般的に操縦士は、必要であれば困難な状況を救おうと試みることにより、極限まで施回を避けようとする。
【発明の開示】
【発明が解決しようとする課題】
【０００５】
しかし、そのような施回の操作が、必要なときはいつでも意識して実行されれば、進入時(滑走路への進入とこの滑走路への着陸)に発生する数多くの事態や事故を避けることが可能になるだろう。
【０００６】
本発明は、着陸のための進入中に航空機の操縦を補助する方法、より正確に言えば、特に、安定した進入を達成するための全エネルギー余地を操縦士に示すことによって、進入段階を施回で中断するのかどうかについて操縦士が決定するのを補助することを目的とした、進入時でのエネルギー管理を補助する方法に関するものである。
【課題を解決するための手段】
【０００７】
この目的のために、本発明方法は、自動かつ連続的な方法で、次の連続する一連の工程が実行されることを特徴とする。
ａ）航空機の現在の飛行条件が決定され、
ｂ）航空機が、安定した進入条件を得られるように、最適化された進入に従って降下し減速するとき、前記現在の飛行条件と所定のモデルを利用して、航空機の現在の位置と地上との接地位置の平面上での投影図間の最小距離に相当する最小進入距離が決定され、
ｃ）少なくともこの最小進入距離が、ＮＤ(Navigation Display)型の運航スクリーン上で、航空機に関する位置を中心としていて、地上との接地位置を示し、(そして距離の合図を与える)第１の円形の円弧の形態で、航空機の操縦士に提示され、航空機に関する前記位置は、その航空機が着陸のための所定の軌道上にあるときにはその位置に、又は失敗すると航空機の現在の位置に一致する。
【発明の効果】
【０００８】
このように、本発明によれば、操縦士が、航空機の現在の位置から着陸滑走路上での航空機の接地位置までの水平距離が可能な限り最も小さい、最適化された進入を実行すれば、いかなる時でも操縦士は、航空機の地上との接地位置(と、従って滑走路に関してのその余地(margin))が、特に、(前記モデルで考慮した)航空機の空気力学的ブレーキ能力と現在の飛行条件の関数として分かる。
【０００９】
望ましい方法では、ｃ）の工程で、着陸のために予定された着陸滑走路の位置を示していて、少なくともこの着陸滑走路の終端を示す表象が、更に、前記運行スクリーン上に提示され、前記第１の円形の円弧が航空機の横軌道上に位置し、そのスクリーン上で着陸滑走路の位置を示す前記表象もまた位置していると仮定される。
【００１０】
このように、前記運行スクリーン上で前記第１の円形の円弧が、この表象によって示された着陸滑走路の前記終端を超える場合、操縦士には、おそらく側方プロフィールを変更しなければ、前記着陸滑走路への着陸を実行するために、安定した進入条件を達成することが不可能であることが分かる。
【００１１】
本発明によると、前記安定した進入条件は、着陸滑走路へ直接接近するとき地上に対する所定の高度、例えば５００フィート(約１５０メートル)又は１０００フィート(約３００メートル)で、例えば５０フィート(約１５メートル)にまで下がる、安定した(つまり、一定である)所定の進入速度と進入傾斜を航空機が示すことを前提とする。
【００１２】
その結果、運行スクリーンに示された前記第１の円形の円弧と前記表象によって、操縦士は、将来の進入段階中断の決定を行うのに貴重な補助を与えられる。なぜならば、この情報により、操縦士は、その進入が不安定であって回復不可能である時が分かるからである。そのような状況で、操縦士はその後もはや施回操作(又は、エネルギーを損失する操作)を実行することをためらう必要がない。これによって、確実に、進入段階中の多数の事態や事故を回避することと滑走路進入をよりうまく操縦して施回の回数を減らすことが可能になる。
【００１３】
操縦士に、上記のようないかなる危機な状況をも適切に知らせるために、前記第１の円形の円弧が(航空機の現在の位置に関して)着陸滑走路の終端を越えたところにある時に、つまり、(上述のような最適化された進入に関する)航空機の接地点の位置が着陸滑走路の前記終端を越えたところにあり、その結果、着陸が全く達成できなかったり、最低限でも十分安全な条件の下で行われなったりするときに、航空機の操縦室内で警報信号が発せられることが望ましい。
【００１４】
特定の実施例では、ａ）の工程で、少なくとも、
−  航空機の地上に対する高度と、
−  航空機の速度と、
−  前記航空機の空気力学的形態が、
航空機の現在の飛行条件として決定される(より正確には、通常の方法で推定され、又は計測される)。
【００１５】
更に、現在の飛行条件の関数として最小の進入距離を決定することを目的とした前記モデルは、ニューラル・ネットワークを備えることが望ましい。この場合は、前記ニューラル・ネットワークが、少なくとも、
−  地表面での気圧と、
−  航空機の質量と、
−  長手方向の瞬間風のパラメーターと、
前記現在の飛行条件と前記安定した進入条件の関数として、前記最小の進入距離を決定することが好ましい。
【００１６】
更に、特定の実施例では、前記ニューラル・ネットワークは、航空機の種類、特にその空気力学的特性と、その性能に依存する。これによって、そのモデルを最適化し、それを本発明が実施される航空機に適合させることが可能となる。
【００１７】
前記ニューラル・ネットワークは、航空機の飛行に先立って、準備段階の間に決定されることが望ましい。
【００１８】
更に、望ましい方法では、前記最小の進入距離が、最適な降下プロフィールを前記現在の飛行条件として考慮することによって決定される。
【００１９】
特定の実施例では、更に、
−  ｂ）の工程で、航空機が、安定した進入条件が得られるように、(空力学的指令に関する)標準進入に従って降下し減速するときに、航空機の現在の位置と地上との接地位置との平面上での投影図間の距離に相当する第２の進入距離が決定され、
−  ｃ）の工程で、この第２の進入距離は、前記運行スクリーン上で、航空機に関する前記位置を中心とし(標準進入に関する)地上との接地位置を示す、第２の円形の円弧の形で、航空機の操縦士に提示される。
【００２０】
本発明は、また、空港の着陸滑走路上に着陸するための進入段階中における、航空機、特に輸送機の操縦を補助するための装置にも関する。
【００２１】
本発明によると、前記装置は、
−  航空機の現在の飛行条件を決定する第１の手段と、
−  航空機が、安定した進入条件が得られるように最適化された進入に従って降下し減速するときに、前記現在の飛行条件と所定のモデルを利用して、航空機の現在の位置と地上との接地位置との平面上での投影図間の最小距離に相当する、最小進入距離を決定する第２の手段と、
−  運行スクリーン上で、航空機に関する(前記)位置を中心とし、地上との接地位置を示す、第１の円形の円弧の形で、少なくともこの最小進入距離を提示する表示手段とからなる
ことを特徴とする。
【００２２】
前記第２の手段は、ニューラル・ネットワークを備えることが好ましい。
【００２３】
更に、特定の実施例では、本発明による前記装置は、前記第１の円形の円弧が、着陸を予定している着陸滑走路の終端を越えた場所にあるときに、航空機の操縦室内で(可視、そして／または、可聴の)警報信号を発することのできる警報手段を備える。
【発明を実施するための最良の形態】
【００２４】
添付図面の図は、本発明を実施する方法を明らかにする。これらの図面では、同一符号は同一要素を指定する。
図１で図式的に示された本発明に従う装置１は、着陸滑走路２への着陸のため、この着陸滑走路２へ進入中に、操縦士が航空機Ａ、特に機体の広い輸送機を操縦するのを補助することを目的としている。
【００２５】
本発明によると、前記装置１は、
−  少なくとも、通例の方法で、航空機Ａの現在の飛行条件を決定する、特に測定又は推定する手段４を備えた一組の情報源３であって、より正確には、前記手段４が少なくとも次の現在飛行条件、
・  航空機Ａの地上に対する高度と、
・  航空機Ａの速度と、
・  前記航空機Ａの空気力学的形態(特に、スラットとフラップの位置)とを決定するものと、
−  連結器６によって前記一組の情報源３に連結されている中央ユニット５であって、航空機Ａが、下記にも説明されるように、安定した進入条件が得られるように、下記の最適化された進入に従って現在の位置から降下し減速するときに、前記手段４から受け取った現在の飛行条件と下記の所定のモデルを利用して、一方では航空機Ａの現在の位置、他方では航空機Ａの地上との接地位置の、平面での、第１と第２の投影図間の最小距離(操縦士によって得られるプロフィール)に相当する最小進入距離Ｄminを決定するものと、
−  連結器８によって前記中央ユニット５に連結されている表示手段７であって、ＮＤ(Navigation Display)型の通例の運行スクリーン９上に、航空機Ａに関する位置を中心とする円形の円弧Ｃ１の形で、少なくともこの最小進入距離Ｄminを表示することを目的にしているものとからなる。航空機Ａに関する前記位置は、航空機Ａが着陸目的で所定の軌道上にある場合の航空機Ａの位置、又は、失敗の場合、しるし１０によって通例の方法で示される前記航空機Ａの現在の位置、に対応する。円形の円弧Ｃ1は、この距離Ｄminを示す距離によって、前記表象１０から離れている。この円形の円弧Ｃ1は、航空機Ａが可能な限り最小の距離Ｄminを得られるように、最適化された進入を実施する場合の、航空機Ａの地上との接地位置を示す。表示手段７はまた、距離に関する情報（航空機−接地位置）も操縦士に提供する。
【００２６】
このように、前記装置１によって、もし、操縦士が、航空機Ａの現在の位置から航空機Ａと着陸滑走路２の接地位置までの水平距離が可能な限り最小である、最適化された進入をした場合、特に(前記モデルで考慮された)航空機Ａの空気力学的ブレーキ性能と(前記手段４から受け取った)現在の飛行条件との関数として、いかなる時でも、操縦士は、自らの操縦する航空機Ａの地上との接地位置が分かる。
【００２７】
本発明によると、前記表示手段７は更に、前記運行スクリーン９上に、航空機Ａの着陸を予定している着陸滑走路２の位置を示し、少なくとも前記滑走路２の上流の終端１２の位置を信号で知らせる表象１１を示す。本発明によると、前記円形の円弧Ｃ１は、定義上、航空機Ａを着陸滑走路２へ向けるように、航空機Ａによってたどられ、運行スクリーン９上で前記表象１１を通過する横軌道１３上に位置する。
【００２８】
その結果、前記運行スクリーン９上で前記円形の円弧Ｃ１が着陸滑走路(表象１１)の上記終端１２を越すと、操縦士には、おそらく操縦士の横プロフィールを変更しなければ、着陸滑走路２への着陸を実施する目的で最適化された進入条件を得ることは不可能であるだろうということが分かる。
【００２９】
よって、運行スクリーン９上に示された前記円形の円弧Ｃ１及び前記表象１１によって、本発明による装置１は、操縦士に、将来の進入段階の中断を決定するための有益な補助を提供する。なぜならば、この情報によって、操縦士には、いつその進入が不安定化し回復不可能となるか分かるからである。そのような状況では、操縦士は、その際もはや施回を実施することをためらう必要がない。これによって間違いなく、進入段階中での数多くの事故を回避することが可能となる。
【００３０】
定義上、施回とは、進行中の着陸操作が完了に至るまで実施されない、一つの飛行段階である。
【００３１】
特定の実施例では、
−  前記中央ユニット５が、安定した進入条件が得られるように、標準的な進入によって(すなわち、規定で通例の方法で実施される進入によって)、航空機Ａが、その現在の位置から降下し減速するときに、一方では航空機Ａの現在の位置、他方では航空機Ａの地上との接地位置の平面での、第１と第３の投影図間の距離に相当する進入距離ＤＯを決定し、
−  前記表示手段７が、前記運行スクリーン９上に、航空機Ａ(表象１０)に関する前記位置を中心としていて、この場合のような標準的進入の際の地上との接地位置を示す円形の円弧Ｃ２の形でこの進入距離ＤＯを示す。
【００３２】
本発明によると、前記安定した進入条件は、着陸滑走路２へ直接接近する、例えば５０フィート(約１５メートル)の高度まで下がる、地上に対する所定の高度、例えば５００フィート(約１５０メートル)又は１０００フィート(約３００メートル)で、安定した(つまり一定の)所定の進入速度と進入傾斜を航空機Ａが示すことを想定している。
【００３３】
以下に図示によって、各々図３から５に示された３つの異なる状況を参照し、図３から５は特に円形の円弧Ｃ１及びＣ２及び表象１１からなる運行スクリーン９の１つの部分１４を示す。
−  図３の例では、円形の円弧Ｃ１及びＣ２は、航空機Ａの飛行方向Ｅでの着陸滑走路(表象１１)の終端１２の上流に位置し、その結果航空機Ａは、この例では、最適化された進入と標準的な進入の両方にしたがって、進入を実施することができる。
−  図４の例では、円形の円弧Ｃ１(最適化された進入)が、着陸滑走路２の終端１２の上流に位置する一方で、円形の円弧Ｃ２(標準的な進入)は、着陸滑走路２の前記終端１２を超えた(下流の)場所にある。この例では、航空機Ａは、標準的な進入を実施することはできないが、最適化された進入はなお可能である。
−  図５の例では、２つの円形の円弧Ｃ１及びＣ２が、着陸滑走路２の終端１２を超えた(下流の)場所にある結果、標準的な進入も最適化された進入も不可能である。従って、この例では、操縦士は施回操縦を実施しなくてはならない。
【００３４】
更に、表示手段７は、通例の方法で、運行スクリーン９上に、特に、
−  水平面での航空機Ａの理論上の飛行軌道をコース・ポイント１５と共に示すプロット１３と、
−  角変位の通例の目盛１６と、
−  表象１０によって示される航空機Ａの現在の位置に対し決定される、通例の距離目盛１７とを提供する。
【００３５】
更に、本発明による装置１は、連結器１９によって前記中央ユニット５に連結していて、前記円形の円弧Ｃ１が(航空機Ａの現在の位置に対して)着陸滑走路２の終端１２を超えた位置にあるとき、すなわち、(上記のような最適化された進入に関する)航空機Ａの接地位置が、着陸滑走路２の前記終端１２を超えた位置にあり、その結果、着陸が全く、又は、少なくとも十分に安全な条件の下では実施できないときに、航空機Ａの操縦室内に警報信号を発することのできる警報手段１８を備える。前記警報信号は、運行スクリーン９上で表示される、例えば円形の円弧Ｃ１、そして／又は、表象１１のような情報に関連する可聴信号、そして／又は、可視信号、特に、警報メッセージ、そして／又は、色や形の変化であってよい。
【００３６】
その結果、本発明による装置１によって、操縦士が航空機Ａのエネルギーをうまく使用し、ある場合はエネルギー状態を修正し、必要な場合は施回を行うことができる表示がなされる。よって、前記装置１は、進入段階中の事故の数を減らすことを可能にする。前記装置１によって防ぐことのできる事故は、特に、(高度が高すぎる、又は、急速すぎるなどの)過剰エネルギーにより生じた不安定進入の結果の、滑走路離脱、難しい着陸などである。さらに、本発明によって、特に、
−  １００００フィート(約３０００メートル)から、進行毎に安定化されるための最高高度である５００フィート(約１５０メートル)の間での進入工程におけるエネルギーの監視と、
−  航空機Ａが進入軸ＰＡを形成する所定の進入傾斜(一般的には３°)で安定化されなければならない、高度５００フィートから５０フィート(約１５メートル)の間で、所定の通常の進入速度で施回を実施する決定の補助とを実施することが可能である。
【００３７】
加えて、前記モデルは、最小進入距離Ｄminを決定するために、中央ユニット５の計算モジュール２０によって利用される。従って、この計算モジュール２０はニューラル・ネットワークを備える。このニューラル・ネットワークによって、前記現在の飛行条件と前記安定した進入条件と、
−  地上レベルでの大気圧と、
−  航空機Ａの質量と、
−  長手方向の瞬間風とのパラメーターと
の関数として、この最小進入距離Ｄminを決定することが可能になることが好ましい。
【００３８】
更に、特定の実施例では、前記ニューラル・ネットワークは、前記航空機Ａの型、特に、その特性と空気力学的性能に依存する。これによって、そのモデルを最適化し、装置１が据え付けられている航空機Ａに適合させることが可能となる。
【００３９】
本発明によると、前記ニューラル・ネットワークは、航空機Ａの飛行前の、準備段階の間に地上で決定される。
【００４０】
更に、前記計算モジュール２０は、最適降下プロフィールを、航空機Ａの現在の飛行条件の関数として考慮することによって、前記最小進入距離Ｄminを決定する。
【００４１】
図６に示されているのは、周辺領域２２の起伏２１の、上空を飛行することによって滑走路２への着陸の実施が可能となる、P0からP4の符号で参照されている、様々な(降下の)プロフィールと、また、Ｈ1からＨ5までの示された数値が５０フィート(約１５メートル)毎に区切られている高度尺度２３である。前記参照されたプロフィールＰ0からＰ4は、航空機Ａの最初の高度と速度条件の全てに及ぶ最適エネルギー消費プロフィールである。よって、前記最初の高度と速度条件により、中央ユニット５は、(特に、最小距離Ｄminを得ることを可能にする)最適なエネルギー消費プロフィールＰ0、Ｐ1、Ｐ2、Ｐ3、Ｐ4を選択し、計算モジュール２０は、前記統合モデルによって前記距離Ｄminを計算するために前記プロフィールを利用する。
【００４２】
標準降下プロフィールP0に従う航空機Ａが示されている図６を参照することによって、以下のことを考慮することができる。すなわち、
−  航空機Ａが滑らかな形態にあるとき、操縦士は、垂直進入軸上で減速する前に、着陸装置とフラップを延長し、滑らかな形態で、(『最大着陸装置操作速度(Maximum Landing Gear Operating Speed)』という用語で知られる)通常の最大速度ＶＬＯで、降下を実施しようとする(プロフィールＰ1)。この垂直進入軸は、ＩＬＳ(『計器着陸システム(Instrument Landing System)』)型の通常の計器進入と着陸の枠内で出される(『glide』と呼ばれる)軸ＰＡである。
−  航空機Ａが、高揚力形態にあるとき、操縦士は、垂直進入軸ＰＡ上で減速する前に、着陸装置とフラップを延長し、「フル」と呼ばれる形態で、フラップを延長させた通例の最大速度ＶＦＥ(『フラップを延長した最大速度(Maximum Speed with Flaps Extended)』)で、降下を実施しようとする(プロフィールＰ2)。
−  航空機Ａが、前記垂直進入軸ＰＡ上での減速を継続する前に、垂直進入軸ＰＡと、(進入領域２２の起伏２１によって決定される)標準進行Ｐ0の高度との下にあるとき、航空機Ａは、着陸装置とフラップを延長し、段階的な減速を実行する(最適でないが、起伏に対する安全性には有利であるプロフィールである、プロフィールＰ4)。
−  航空機Ａが、標準進行高度の下にあるが、垂直進入軸ＰＡより上にあるとき、高揚力形態での降下は、(もし、この最初の速度が、「フル」形態のＶＦＥ速度より小さい場合、)前記垂直進入軸ＰＡ上で減速する前に、着陸装置とフラップを延長し、最初の速度で実行される(プロフィールＰ3）。
【図面の簡単な説明】
【００４３】
【図１】本発明に従う、操縦を補助するための装置の概略図である。
【図２】本発明に従う、情報が示されている運行スクリーンを示す。
【図３】一つの進入段階に対する、図２の運行スクリーンの一部を示す。
【図４】異なる進入段階に対する、図２の運行スクリーンの一部を示す。
【図５】さらに異なる進入段階に対する、図２の運行スクリーンの一部を示す。
【図６】本発明に従う、着陸滑走路に着陸する目的で、航空機によってたどられ得る、様々な進入軌道を図式的に示す。
【符号の説明】
【００４４】
２…着陸滑走路の終端、４…飛行条件を決定するための第１の手段、５…最小進入距離を決定するための第２の手段、７…最小進入距離を提示するための表示手段、９…運行スクリーン、１０…位置、１１…着陸滑走路の終端を示す表象、１２…着陸滑走路、１３…航空機の横軌道、１８…警報手段、Ａ…航空機、Ｃ１・Ｃ２…円弧、Ｐ0・Ｐ1・Ｐ2・Ｐ3・Ｐ4…最適降下プロフィール。
【図１】
2008540228.tif 000003
【図２】
2008540228.tif 000004
【図３】
2008540228.tif 000005
【図４】
2008540228.tif 000006
【図５】
2008540228.tif 000007
【図６】
2008540228.tif 000008
【国際調査報告】
2008540228.tif 000009
2008540228.tif 000010
2008540228.tif 000011
2008540228.tif 000012
2008540228.tif 000013
2008540228.tif 000014